(57)【特許請求の範囲】
【請求項１】
ネットワークに接続され、該ネットワークに接続された他の機器から提供されたデータを受信することができる表示装置であって、
前記受信したデータに関する情報を表示するための表示手段と、
前記ネットワークに接続された前記他の機器を検出する検出手段と、
前記検出手段により前記他の機器が前記ネットワークに接続されたことを検出すると、前記他の機器から前記表示装置に前記表示手段により表示するためのデータを送信するための接続情報を表示させるように、前記表示手段を制御する制御手段と
を有し、
前記制御手段は、前記検出手段が前記他の機器が前記ネットワークに接続されたことを検出すると、検出してから所定時間が経過してから、前記接続情報を表示させるように前記表示手段を制御することを特徴とする表示装置。
【請求項２】
前記制御手段は、前記所定時間が経過する前に前記他の機器が前記表示装置に対して、該表示手段により表示するためのデータを送信することができるようになると、前記接続情報を表示させないように前記表示手段を制御することを特徴とする請求項１に記載の表示装置。
【請求項３】
前記制御手段は、前記接続情報を表示しているときに、前記他の機器が前記表示装置に対して、前記表示手段により表示するためのデータを送信することができるようになると、前記接続情報の表示を停止するように前記表示手段を制御することを特徴とする請求項１または２に記載の表示装置。
【請求項４】
前記制御手段は、前記接続情報を表示してから一定時間が経過すると、前記接続情報の表示を停止するように前記表示手段を制御することを特徴とする請求項１から３のいずれか１項に記載の表示装置。
【請求項５】
ネットワークに接続され、該ネットワークに接続された他の機器から提供されたデータを受信することができる表示装置の制御方法であって、
表示手段が、前記受信したデータに関する情報を表示する表示工程と、
検出手段が、前記ネットワークに接続された前記他の機器を検出する検出工程と、
前記検出工程において前記他の機器が前記ネットワークに接続されたことが検出されると、前記他の機器から前記表示装置に前記表示手段が表示するためのデータを送信するための接続情報を表示させるように、前記表示手段を制御する制御工程と
を有し、
前記制御工程では、前記検出工程において前記他の機器が前記ネットワークに接続されたことが検出されると、検出されてから所定時間が経過してから、前記接続情報を表示させるように前記表示手段を制御することを特徴とする表示装置の制御方法。
【請求項６】
コンピュータを請求項１乃至４のいずれか１項に記載の表示装置の各手段として動作させるためのプログラム。
【発明の詳細な説明】
【技術分野】
【０００１】
表示装置、表示装置の制御方法、及び、プログラムに関する。
【背景技術】
【０００２】
映像の投影表示を行うビデオ・プロジェクタ（以下、単にプロジェクタという。）は、ＶＧＡ（Video Graphics Array）ケーブル、ＤＶＩ（Digital Visual Interface）ケーブルなどでパーソナルコンピュータ（ＰＣ）と接続される。ＰＣからのデジタル・アナログの映像は、これらのケーブルを通してプロジェクタに転送されて投影表示を行う。この場合、映像は非圧縮の映像が殆どで、また映像を表示するタイミングも重畳して転送される。
【０００３】
一方で、ＬＡＮ（Local Area Network）が一般的になりネットワーク接続に対応するプロジェクタも増えつつある。図１は、ネットワーク１２０によってプロジェクタ１００とＰＣ１１０が接続された状態を示している。ネットワーク１２０を介してＰＣ１１０とプロジェクタ１００とを通信可能にするためには、ＰＣ１１０はネットワーク１２０上にあるプロジェクタ１００を特定して接続を試みなければならない。
【０００４】
これを実現する方法としては、ＵＰｎＰ（Universal Plug and Play）と呼ばれるプロトコル技術を用いる方法がある（非特許文献１）。このプロトコルでは、Ｍ−Ｓｅａｒｃｈと呼ばれる探索コマンドをネットワーク上に送信することにより、ネットワーク１２０上に存在するプロジェクタ１００を特定することができる。その後、応答（Response）に記述されるプロジェクタ１００の情報を元に、ＰＣ１１０はプロジェクタ１００との通信を開始できる。
【先行技術文献】
【非特許文献】
【０００５】
【非特許文献１】UPnPデバイス構造に関する仕様書(http://www.upnp.org/specs/arch/UPnP-DeviceArchitecture-v1.0.pdf)
【発明の概要】
【発明が解決しようとする課題】
【０００６】
前述の通り、ＵＰｎＰを使うことにより、ＰＣ１１０はプロジェクタ１００を特定することができる。一方で、該ＵＰｎＰの機能を使用するためには、ユーザはＰＣ１１０の設定の変更や、またＵＰｎＰの機能を利用するための操作をしなければならない。これは、ＰＣのＯＳ（オペレーティングシステム）の設定を変更したり、使用するアプリケーションを切替えたりするという作業が必要になり、一般ユーザにとっては煩雑な作業である。またＵＰｎＰの機能が搭載されていないＰＣの場合には、そもそもプロジェクタを自動で特定する手段がなくプロジェクタとＰＣを自動で接続することができない。
【０００７】
ここで問題はＵＰｎＰの場合に限定されるものではなく、ＵＰｎＰに類似するデバイス発見のための他のプロトコルを用いる場合でも同様の問題は発生する。係る問題を解決するためには、１つはユーザが手動でプロジェクタに接続するための接続情報（例えば、ＩＰアドレス）をＰＣに打ち込むことである。例えば、画面１０５にプロジェクタ１００の接続情報を表示すれば、ユーザはプロジェクタ１００を特定でき、ＰＣ１１０上のＷｅｂブラウザに接続情報を入力すれば、プロジェクタ１００とＰＣ１１０との通信を確立できる。
【０００８】
ところで、プロジェクタは一般的には、プレゼンテーションなどで用いられることが多い。プレゼンテーションが始まると、説明者はＰＣ１１０を制御してプレゼン資料をプロジェクタ１００の投影画面１０５に投影しながら説明を実施する。この状況では、投影画面には説明者が利用する資料が表示されているため、前述した接続情報を画面上に表示するためには、プレゼンテーション資料の上に重畳して表示しなければならない。しかし、常に表示されているのではプレゼンテーション資料等が見にくくなってしまう。また、定期的に接続情報を表示するのでは、新しい参加者が会議室に入室し、ＰＣ１１５を接続しようとしてもしばらく待たなくてはならず、また、接続情報を見逃すとまた一定時間待たなければならず、使い勝手が悪くなってしまう。  
【０００９】
本発明は、上記課題を鑑みてなされたものであり、プロジェクタが投影する画面上における該プロジェクタへの接続情報の重畳表示を制御することにより、使い勝手を向上させることができる表示装置を提供することを目的とする。
【課題を解決するための手段】
【００１０】
上記課題を解決するための本発明は、ネットワークに接続され、該ネットワークに接続された他の機器から提供されたデータを受信することができる表示装置であって、前記受信したデータに関する情報を表示するための表示手段と、前記ネットワークに接続された前記他の機器を検出する検出手段と、前記検出手段により前記他の機器が前記ネットワークに接続されたことを検出すると、前記他の機器から前記表示装置に前記表示手段により表示するためのデータを送信するための接続情報を表示させるように、前記表示手段を制御する制御手段とを有し、前記制御手段は、前記検出手段が前記他の機器が前記ネットワークに接続されたことを検出すると、検出してから所定時間が経過してから、前記接続情報を表示させるように前記表示手段を制御する。
【発明の効果】
【００１１】
本発明によれば、表示装置が表示する画面上における該表示装置への接続情報の重畳表示を制御することにより、ユーザの使い勝手を向上させることができる。
【図面の簡単な説明】
【００１２】
【図１】システム構成の一例を示す図。
【図２】プロジェクタ１００の構成例を示す図。
【図３】新規接続機器１１５の検出処理の一例を示すフローチャート。
【図４】ネットワーク１２０上の接続機器を検出する一例を示すシーケンス図。
【図５】アドレス範囲設定のためのＧＵＩ画面の一例を示す図。
【図６】ネットワーク１２０上の接続機器を管理するためのネットワーク参照テーブルの一例を示す図。
【図７】接続監視処理の一例を示すフローチャート。
【図８】ＰＣ１１５がプロジェクタ１００に映像を送信するためのシーケンスの一例を示す図。
【発明を実施するための形態】
【００１３】
本実施形態におけるシステム構成は図１に示したものと同様であり、プロジェクタ１００とＰＣ１１０がネットワーク１２０を介してデータの送受信が可能なように接続されている。図２は、発明の実施形態に対応する表示装置としてのプロジェクタ１００の概略構成例を示す図である。本実施形態では、プロジェクタ１００がＰＣ１１０から送信される映像をネットワーク経由で受信して投影するシステムを例に、以下にプロジェクタ１００の動作を説明する。本実施形態では映像データを送受信する場合を説明するが、映像データ以外にもプレゼンテーションデータや、音声データを送受信することもできる。
【００１４】
なお、以下では表示装置として投影画面１０５に対して投影表示を行うプロジェクタの例を説明するが、表示装置はプロジェクタに限らず、表示画面を有するテレビジョン装置（ディスプレイ）であってもよい。テレビジョン装置の場合でも、以下に説明する実施形態に従って、ネットワーク１２０上の接続機器の接続状況を監視して、監視結果に応じて該機器に対する接続情報の提供方法を制御することができる。
【００１５】
プロジェクタ１００はネットワーク１２０を介して、ＰＣ１１０から送信される表示用データを通信部２０５で受信する。当該表示用データは、例えば圧縮映像データであり、通信部２０５は受信した圧縮映像データをメモリ部２０６に転送する。メモリ部２０６に転送された圧縮映像データは、映像処理部２０２によって復号される。復号方法については本提案の範疇外であるので詳細は省略する。復号された映像データはメモリ部２０６に格納される。格納された映像データは投影処理部２０１に転送され、液晶パネル２０８によって投影される。
【００１６】
プロジェクタ１００のユーザは、操作部２０４を介してプロジェクタ１００の設定を行うなど、プロジェクタ１００を制御することができる。また、ユーザがプロジェクタ１００を制御するためのメニュー画面がＯＳＤ部２０７によって生成され、投影処理部２０１に転送され、映像データと重畳されて液晶パネル２０８によって投影表示される。これらの各ブロックの制御は、ＣＰＵ２０３によって行われ、各部は制御バス２１０とデータバス２１１で接続されている。
【００１７】
なお、図２の表示装置１００において、各ブロックは専用ロジック回路やメモリを用いてハードウェア的に構成されてもよい。或いは、メモリに記憶されている処理プログラムをＣＰＵが実行することにより、ソフトウェア的に構成されてもよい。
【００１８】
次に、図３のフローチャートを参照して、システムにおいてネットワーク１２０に新しい機器１１５が接続されたかどうかを検出する監視モード処理を説明する。すなわち、ネットワーク１２０に新しい機器１１５が参加したか否かをプロジェクタ１００が検出する処理である。図３のフローチャートに対応する処理は、ＣＰＵ２０３がメモリ部２０６に記憶されている対応する処理プログラムを実行することで実現される。
【００１９】
図３の処理を開始すると、先ずＳ３０１でＣＰＵ２０３がメインタイマを始動させる。当該メインタイマは、図３のフローチャートに対応する処理を実行するタイミングを判定するために用いられる。メインタイマはＣＰＵ２０３上で動作するリアルタイムＯＳによって管理されるものとする。
【００２０】
Ｓ３０２では、ＣＰＵ２０３がメインタイマからの呼び出しがかかったか否かを判定する。本実施形態では２秒おきにメインタイマからの呼び出しがかかり、図３のＳ３０３以降のフローチャートが実行される。Ｓ３０２で呼び出しがかかったと判定されると（Ｓ３０２で「ＹＥＳ」）、Ｓ３０３に移行する。Ｓ３０３では、ＣＰＵ２０３が通信部２０５を制御してネットワーク機器検出処理を実行する。
【００２１】
ネットワーク機器検出処理について図４のシーケンス図を参照して説明する。図４は、ネットワーク１２０に接続されている機器をプロジェクタ１００が検出するためのシーケンス図である。図４のフローチャートに対応する処理は、ＣＰＵ２０３がメモリ部２０６に記憶されている対応する処理プログラムを実行することで実現される。プロジェクタ１００は、ネットワーク１２０上の特定のアドレスに対して、ＰＩＮＧコマンドを送信する。ＰＩＮＧコマンドはＩＰネットワークのプロトコルＩＣＭＰ（Internet Control Message Protocol）として既知であるので、詳細は省略する。
【００２２】
プロジェクタがＰＩＮＧコマンドを送信する特定アドレスは、図５に示されるＧＵＩ画面によって管理者によって設定される。このＧＵＩ画面５００は、一般的なＷＥＢブラウザによってプロジェクタ１００にアクセスした場合に表示されるが、この仕組みは一般的なＨＴＴＰサーバーの仕組みを利用することで実現できるため詳細は省略する。ＧＵＩ画面５００では、ＰＩＮＧを送信するための特定アドレスの設定が行える。アドレスを指定する場合は、フィールド５０３に特定アドレスを設定し、特定のサブネット以下にＰＩＮＧを全て送信したい場合は、フィールド５０２に特定サブネットを設定し、その切り替えをフィールド５０１で行う。
【００２３】
特定アドレス・サブネットは、ある会議室内において、ＰＣが新たに接続された場合に、ＤＨＣＰ（Dynamic Host Configration Protocol）などによって割り振られるアドレスを意味する。管理者はこれらの情報を知っていてしかるべきなので、これらの情報は、管理者がＧＵＩ画面５００を用いて適切に設定しているものとする。なお、本実施形態では、前述のようにプロジェクタ１００に対して設定できるようにしているが外部の機器で設定した当該情報をプロジェクタ１００が取得して参照するようにしても問題ない。ここで設定された特定アドレスは、例えば、ＣＰＵ２０３内部の不揮発性メモリやプロジェクタ１００内の別の不揮発性メモリに記録されるものとする。
【００２４】
図４では、Ｓ４０１からＳ４０３に示すように、適当な間隔でアドレス情報に従ってプロジェクタ１００の通信部２０５からＰＩＮＧコマンドをネットワーク１２０上に送信する。このときネットワーク１２０上に該当アドレスを割り振られた機器が存在しなければ、ＰＩＮＧコマンドに対する応答は得られない（Ｓ４０１、Ｓ４０２の場合）。一方、該当アドレスを割り振られた機器が存在すると（Ｓ４０３の場合）、Ｓ４０４のようにＰＩＮＧの応答が得られる。この応答により、プロジェクタ１００のＣＰＵ２０３は、どのアドレスを割り振られた機器がネットワークに存在するのかを判別することができる。すなわち、定期的にＰＩＮＧコマンドをネットワーク１２０上に送信していれば、それまで応答の無かったアドレスから応答があれば、新規なＰＣがネットワークに参加してきたことを判別することができる。Ｓ４０５以降も同様にして一定周期ごとにＰＩＮＧコマンドをネットワーク１２０上に送信することで、プロジェクタ１００はネットワーク上に新しい機器が接続されたかを検出できる。以上が、ネットワーク機器検出処理である。
【００２５】
図３のフローチャートの説明に戻ると、ネットワーク１２０に新規に接続された機器が検出されると（Ｓ３０４にて「ＹＥＳ」）、Ｓ３０５に移行する。ここでは例えば、定期的にＰＩＮＧコマンドをネットワーク１２０上に送信していれば、それまで応答の無かったアドレスから応答があれば、新規なＰＣがネットワークに参加してきたことを判別する。Ｓ３０５では、ＣＰＵ２０３がネットワーク１２０に接続されている機器の検出情報を管理している管理テーブルを更新する。
【００２６】
図６は、管理テーブルの構成例を示す。管理テーブル６００は、例えばＣＰＵ２０３内部の不揮発性メモリに記録され管理しておくことができ、ＧＵＩ画面５００によって設定された特定アドレスをもとに生成される。管理テーブル６００は、特定アドレス６０１、ネットワーク１２０上で検出されたかどうかを判別する検出状態フラグ６０２、論理的に接続されたかどうかを示す接続状態フラグ６０３を含む。なお、接続状態フラグ６０３はプロジェクタ１００と外部の機器が論理的に接続されているかいないか、即ち、機器がプロジェクタ１００の接続情報を知っているかどうかを示す。この接続状態フラグ６０３は、図７でより詳細に説明するとおり、該当する機器から接続要求を受け付けた場合に「１」に設定される。この接続状態フラグ６０３は、複数の機器と論理的接続がなされている場合の入力切り替えなどにも用いることができる。
【００２７】
仮にＳ３０３のネットワーク機器検出処理で該当アドレスが検出されると、検出状態フラグ６０２の値が「１」に設定される。このとき、検出状態フラグ６０２の値が既に「１」であった場合には、新規に機器がネットワーク上に接続されたとは認識されない。一方、検出状態フラグ６０２の値が「０」から「１」に変更された場合には、新規に機器がネットワーク上に接続されたと認識される。
【００２８】
図３に戻り、Ｓ３０６ではＣＰＵ２０３が、通信部２０５を制御して新規に検出された機器それぞれに対して接続監視処理を実行する。もしネットワーク上に新規機器が２台接続された場合、それぞれの機器について接続監視処理が実行される。当該接続監視処理では、たとえば、新しい機器１１５からの接続要求を監視して、監視結果に応じて該機器への接続情報の提供方法を制御する。この処理は図７のフローチャートに従って制御されるが、より詳細な内容は後述する。本実施形態では、ネットワーク１２０に参加した機器を検出することと、検出した機器とプロジェクタ１００とが論理的に接続することとを分けて説明している。ネットワーク１２０に参加しただけでは、プロジェクタ１００と他の機器とは論理的に接続しておらず、映像データなどのデータの送受信をすることができない。そして、他の機器からプロジェクタ１００に対して接続要求を送信することで、他の機器とプロジェクタ１００とは論理的に接続され、映像データなどのデータを送受信することができるようになる。
【００２９】
続くＳ３０７では、ＣＰＵ２０３が本監視モード処理を停止するか否かを判定する。もし、停止しない場合には（Ｓ３０７で「ＮＯ」）Ｓ３０２に戻って処理を継続する。一方、停止する場合（Ｓ３０７で「ＹＥＳ」）、Ｓ３０８でＣＰＵ２０３がメインタイマを停止する。なお、監視モード処理の停止は、例えばユーザが本発明の機能を無効にしたい場合に、ユーザが操作部２０４を操作して無効化の指示を行った場合に実行される。ただし、一旦停止された後でも、例えばユーザからの指示に応じて再度起動することができる。
【００３０】
次に、図７のフローチャートを参照して、図３のＳ３０６における接続監視処理を説明する。図７のフローチャートに対応する処理は、ＣＰＵ２０３がメモリ部２０６に記憶されている対応する処理プログラムを実行することで実現される。まず、Ｓ７０１でＣＰＵ２０３が接続監視タイマを始動させる。次に、Ｓ７０２でＣＰＵ２０３が該当アドレスからの接続要求を待つ。ここでの接続要求とは、例えば、ＰＣ１１５がプロジェクタ１００に映像を送信し投影を行いたい場合には、映像を確実に送信するための論理的なセッションを張る必要があるが、そのために行う最初の接続要求をいう。接続要求により、ＰＣ１１５とプロジェクタ１００とが通信可能となると、ＰＣ１１５は、プロジェクタ１００に、プロジェクタ１００で投影するための映像データを送信できるようになる。接続要求をプロジェクタ１００が受信しない場合には、このようなデータのやりとりを行うことができない。
【００３１】
図８はＰＣ１１５がプロジェクタ１００に映像を送信するためのシーケンスの一例を示す。このシーケンスにおいて、まずＰＣ１１５は、Ｓ８０１で通信部２０５がプロジェクタ１００に対して接続要求（Connect Request）を送信する。プロジェクタ１００はこの要求を受けると、通信部２０５よりＳ８０２でＰＣ１１５に対して応答(Accept)を送信する。その後、ＰＣ１１５はＳ８０３で映像送信要求（Send Video）を送信し、それに対する応答(Accept)をＳ８０４で通信部２０５が受信した後、Ｓ８０５で映像データ（Video Data）を通信部２０５から送信する。本実施形態では、映像データを送信する例について説明しているが、ＰＣ１１５は、プロジェクタ１００に対して投影（表示）するためのデータとして動画ファイルやドキュメントファイルの送信を行うこともできる。
【００３２】
図７に戻り、ＣＰＵ２０３は、所定時間の経過により接続監視タイマがタイムアウトする前にプロジェクタ１００が通信部２０５を介して接続要求を受信すると（Ｓ７０２で「ＹＥＳ」）、Ｓ７０８に移行して接続監視タイマを停止させる。続いてＳ７０９でＣＰＵ２０３が、図６の管理テーブル６００の該当アドレスの接続状態フラグ６０３の値を「１」に設定する。その後、本処理を終了する。この場合、新規接続ＰＣ１１５は例えば、事前にユーザが知っていたプロジェクタ１００への接続アドレスが入力され接続を試みたということを意味する。よって、プロジェクタ１００はこの時点においてＰＣ１１５に対してプロジェクタ１００の接続情報（ＩＰアドレス）を提示する必要がないので、Ｓ７０４の表示処理を行わない。
【００３３】
一方、所定時間内（例えば３０秒程度）に接続要求を受信しなければ、Ｓ７０１で起動した接続監視タイマがタイムアウトする（Ｓ７０３で「ＹＥＳ」）。もしタイムアウトが発生すると、Ｓ７０４ではプロジェクタ１００のＩＰアドレスを示す画像をその時点で表示中のデータに重畳して投影表示する。それと同時に、ＣＰＵ２０３が投影表示している時間を決定するための表示タイマを始動させる。このとき、投影表示するためのＩＰアドレスを示す画像は、ＣＰＵ２０３の指示により、ＯＳＤ部２０７が生成し、投影処理部２０１によってその時点でプロジェクタが投影している映像データに重畳表示される。このＩＰアドレスを示す画像は、数字の羅列でも良いし、２次元バーコードのような表示であっても良い。２次元バーコードとすれば、使用するＰＣ１１５に内蔵されたカメラにより撮影するだけで接続アドレスを入力できるので、接続がより手軽になる。
【００３４】
ＩＰアドレスを重畳表示している間に、本フローチャートの処理を起動させた該当アドレスから接続要求があったとＣＰＵ２０３が判定した場合（Ｓ７０５で「ＹＥＳ」）、Ｓ７１０でＣＰＵ２０３が表示タイマを停止させる。すなわち、該当アドレス先に接続されたＰＣ１１５等から接続要求があったかどうかを判定する（Ｓ７０５）。続くＳ７１１では、ＣＰＵ２０３が管理テーブル６００の該当アドレスの接続状態フラグ６０３の値を「１」に設定する。その後Ｓ７０７に移行して、ＣＰＵ２０３の指示に従い投影処理部２０１がＩＰアドレスの重畳表示を停止し、本処理を終了して、図３に戻る。また、ＩＰアドレスを重畳表示しているにもかかわらず接続要求が該当アドレスより送信されなかった場合（Ｓ７０５で「ＮＯ」）で、かつ、一定時間が経過して表示タイマのタイムアウトが発生すると（Ｓ７０６で「ＹＥＳ」）、同様にＳ７０７に移行する。
【００３５】
以上によれば、プロジェクタ１００は、ネットワーク１２０に新規接続されたＰＣ１１５を検出することができる。また、該検出されたＰＣ１１５からプロジェクタ１００への接続要求の有無を検出して、該ＰＣ１１５に対してプロジェクタ１００の接続情報の提供を行うか否かの判定することができる。さらに、提供を行う場合でも、接続情報の提供を継続する時間をＰＣ１１５からのアクセス状況に応じてさらに制御することができる。これにより、プロジェクタ１００の使用中にネットワーク１２０で新規接続ＰＣ１１５が検出された場合であっても、該ＰＣ１１５からプロジェクタ１００へのアクセス態様に応じた形態で適切にプロジェクタ１００の接続情報を提供できる。
【００３６】
従って、ＰＣとプロジェクタとがネットワーク接続された環境でプレゼンを行う場合に別の新しい参加者がＰＣをプロジェクタに接続したいという要求があった場合でも、説明者に対する影響を最小限としてプロジェクタへの接続を適切に誘導できる。本実施形態では、接続要求として、ＩＰアドレスを使用する例について説明したが、例えば、ＰＩＮＧコマンドに応答のあった新しい機器１１５のＩＰアドレスと関連づけられたパスワードを使用しても良い。この場合には、プロジェクタ１００はそのパスワードを投影し、該当するＩＰアドレスから送られたパスワード以外では接続を許可しないようにしても良い。これにより、不特定多数の機器がプロジェクタ１００に論理的に接続されてしまう可能性をより低くすることができる。
【００３７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005603675.tif 000002
【図２】
0005603675.tif 000003
【図３】
0005603675.tif 000004
【図４】
0005603675.tif 000005
【図５】
0005603675.tif 000006
【図６】
0005603675.tif 000007
【図７】
0005603675.tif 000008
【図８】
0005603675.tif 000009